(57)【要約】      （修正有）【課題】ビデオのプレゼンテーションに関し、特に、ユーザが制御する通りの構造的な方法でビデオプレゼンテーションすること。【解決手段】方法は、ビデオに関連するコンポジット構造に従ってビデオをプレゼンテーションする。各コンポジット構造は、ラベルと、時間的又は階層的に編成することができる複数のセグメントとを有する。特定のコンポジット構造がリモートコントローラにより選択され、表示装置上の再生コントローラがビデオをコンポジット構造に従ってプレゼンテーションされる。【選択図】図１
2006140991.tif 000002
【特許請求の範囲】
【請求項１】
複数のコンポジット構造をビデオに関連付けることであって、各コンポジット構造は、ラベル及び複数のセグメントを有し、各セグメントは関連する始点を有すること、
特定のコンポジット構造を選択すること、
前記ビデオの前記複数のセグメントを前記選択されたコンポジット構造に従って表示装置上にプレゼンテーションすること、及び
前記ビデオをプレゼンテーションしている最中に、前記ラベル及び前記複数のセグメントの前記始点を含む前記特定のコンポジット構造を前記表示装置上に表示すること
を含む、ビデオをプレゼンテーションする方法。
【請求項２】
前記選択することは、
リモートコントロール装置を用いて前記コンポジット構造のラベルのリストをトラバースすること、及び
前記リモートコントロール装置を用いて前記特定のコンポジット構造を指示すること
をさらに含む請求項１に記載の方法。
【請求項３】
各番組セグメントが、継続時間及び属性にさらに関連付けられる請求項１に記載の方法。
【請求項４】
前記複数のセグメントは時間的に編成される請求項１に記載の方法。
【請求項５】
前記複数のセグメントは階層的に編成される請求項１に記載の方法。
【請求項６】
前記特定のコンポジット構造をプレゼンテーションし、該特定のコンポジット構造を表示している最中に、別のコンポジット構造が動的に選択される請求項１に記載の方法。
【請求項７】
前記特定のコンポジット構造は制御ウィンドウ内に表示される請求項１に記載の方法。
【請求項８】
前記制御ウィンドウは、前記ビデオの始まりに対する該ビデオの現在の時間と、前記複数のセグメントに対する前記ビデオの現在位置マーカとを示す請求項７に記載の方法。
【請求項９】
前記位置マーカを前記ビデオ中の任意の位置に移動させること、及び
該任意の位置から開始して前記ビデオをプレゼンテーションすること
をさらに含む請求項８に記載の方法。
【請求項１０】
前記複数のセグメントはアクティブセグメントと非アクティブセグメントを含み、
本方法は、
前記アクティブセグメントのみを前記表示装置に表示すること、及び
前記非アクティブセグメントを飛ばすこと
をさらに含む請求項１に記載の方法。
【請求項１１】
複数のコンポジット構造を記憶するように構成され、各コンポジット構造は、ビデオに関連付けられ、且つ、ラベル及び複数のセグメントを有する、メモリと、
特定のコンポジット構造を選択するように構成されたリモートコントローラと、
前記ビデオを前記コンポジット構造に従って表示装置上にプレゼンテーションするように構成された再生コントローラと、
前記ビデオをプレゼンテーションしている最中に、前記ラベル並びにアクティブセグメント及び非アクティブセグメントを含む前記特定のコンポジット構造を前記表示装置上に表示する手段と
を備える、ビデオをプレゼンテーションするシステム。
【発明の詳細な説明】
【技術分野】
【０００１】
本発明は、包括的にはビデオのプレゼンテーションに関し、特に、ユーザが制御する通りの構造的な方法でビデオをプレゼンテーションすることに関する。
【背景技術】
【０００２】
ＶＣＲといった古い従来技術の装置のほとんどは、リニアテープ上で順次アクセスすることしかできない時間的に編成されたフレームに固有の単一のコンポジット構造に従ってビデオをユーザにプレゼンテーションする。プレゼンテーションモードは、再生、逆回転、一時停止、停止、早送り、及び巻き戻しに制限される。ＶＣＲの中には、ユーザがテープの時系列上の任意の時点にインデックスマークを付けることができるものもある。その場合、ユーザは、前又は後のマークにジャンプすることができる。
【０００３】
ＤＶＤといった新しい従来技術の装置もまた、直接アクセスすることのできる、チャプター及びシーンのような予め記録されたコンポジット構造をユーザに提供する。さらに、ＤＶＤの中には、別の版、例えばカット版とノーカット版、又は様々な言語版を提供するものもある。しかし、ＤＶＤプレーヤは、これらの様々なコンポジット構造間で選択及び移動を行う単純で統一的な方法をユーザに提供しない。通常、ＤＶＤプレーヤは、様々な版が基礎にあるビデオのコンテンツにどう関連しているのかを表示しない。
【０００４】
ごく最近のＰＶＲの中には、ユーザが、分類されたセグメントに基づいてコンポジット構造を生成でき、コンテンツ（例えばＣＭ）を飛ばしながらビデオを再生できるものもある。
【発明の開示】
【発明が解決しようとする課題】
【０００５】
本発明は、複数のコンポジット構造を用いてビデオをプレゼンテーションする方法及びシステムを提供する。
【課題を解決するための手段】
【０００６】
コンポジット構造は、ビデオのセグメントを識別及びラベル付けする。例示的なコンポジット構造としては、コメディ番組中のコマーシャルリスト、ニュース番組中のストーリー項目リスト、スポーツ番組中の野球の打者リストがある。
【発明の効果】
【０００７】
ユーザは、任意のコンポジット構造を動的に選択することができ、この選択されたコンポジット構造に従ってビデオがプレゼンテーションされる。
【発明を実施するための最良の形態】
【０００８】
図１に示すように、本発明は、コンポジット構造２００に従ってビデオ１０１をユーザにプレゼンテーションする方法及びシステム１００を提供する。コンポジット構造は、ビデオ１０１から生成する１１０か、又は、遠隔地からネットワーク１２１（例えばインターネット）を介してダウンロードする１２０ことができる。リモートコントローラ４００により、再生コントローラ１３０及び表示装置１４０がビデオ１０１をどのようにユーザにプレゼンテーションするかを動的に決める特定のコンポジット構造を選択する。
【０００９】
コンポジット構造２００は、ビデオの音声特徴及び視覚特徴に対して動作する特徴抽出器によってローカルに生成する１１０ことができ、又は、ネットワーク１２１を介して遠隔地からダウンロードする１２０。コンポジット構造は、自動で又は手動で生成することができる。コンポジット構造は、さらに詳しく後述するように、メモリ（例えばビデオを記憶している同じメモリ、又はプレゼンテーションシステム１００のメモリ）に記憶することができる。
【００１０】
（コンポジット構造）
一般に、図２に示すコンポジット構造２００は、単純な構造、階層構造、又は複合構造とすることができる。
【００１１】
例えば、単純な構造は、従来の放送ビデオを番組セグメントとコマーシャルセグメントとに分割する。同様に、スポーツビデオの単純なコンポジションは、試合セグメント及び休憩セグメント（例えば試合前セグメント、タイムアウトセグメント、及び試合後セグメント）、又は得点チャンスのみを含む。別の単純な構造は、音声部分と視覚部分を分割する。
【００１２】
野球試合ビデオの階層コンポジションは、試合セグメント及びコマーシャルセグメントを含み、試合セグメントの中にイニングを、イニングの中に打者を、打者の中に投球を、投球の中に安打を、そしておそらくは安打の中にホームランを含む。
【００１３】
複合構造は、単純なコンポジションと階層コンポジションの両方、例えば、コマーシャルなしの試合のみの共通部分（intersection）と、さらに試合の中のイニングとを用いることができる。
【００１４】
特定のビデオは複数のコンポジット構造を有する可能性があり、ユーザは、選択される異なるコンポジット構造に従ってビデオをプレゼンテーションすることができる。選択されるコンポジット構造は、ビデオがプレゼンテーションされている最中に変化し得る。
【００１５】
図２に示すように、ビデオ１０１は、順序付けられたコンポジット構造２２０のリスト２１０と関連付けられる。各コンポジット構造２２０は、ラベル２２１と、番組セグメント２２２のリストとを含む。各番組セグメントは、始点（start）２２３、オプションの継続時間２２４、及び一組の属性２２５と関連付けられる。
【００１６】
ラベル２２１は、構造を説明する、すなわち構造に「名前を付ける」（例えば「レッドソックス対ヤンキーズ９／１３／０４」）。このラベルは、文字列、画像、アイコン、又は短いビデオ及び／又はオーディオクリップとすることができる。番組セグメント２２２は順序付けされることができる。順序付けは、時間、例えば歓声の割合に基づく主観的な重要度、等によるものとすることができる。順序付けもまた上述のような階層構造とすることができる。
【００１７】
始点２２３は、ビデオ１０１の始まりを基準とする時間又はフレームである。オプションの持続時間は、時間又はフレーム数を単位とするセグメントの長さである。
【００１８】
属性２２５は、さらに各番組セグメントを特定する。属性は、そのセグメントに関するコンテンツに特有の情報を表す色、アイコン、又は音、例えば、このセグメントは「得点プレー」を含む、又は「観客の反応が強かった」等であり得る。もう１つの可能な属性として相対的な重要度がある。属性は分類も含むことができる。
【００１９】
（例示的なプレゼンテーション）
図３は、例示的なプレゼンテーション３００を示す。このプレゼンテーションは、コンテンツ３１０と、プレゼンテーション制御ウィンドウ３２０とを含む。ウィンドウ３２０は、ビデオの始まりを基準とするビデオ時間３３０と、ビデオ内の現在位置を示す位置マーカ３４０とを含む。セグメントバー３５０が、現在選択されているコンポジット構造による非アクティブセグメント３５１及びアクティブセグメント３５２を含む。ラベル３６０はコンポジット構造を特定し、上下の矢印３７１〜３７２はコンポジット構造のリスト２１０から次（下）又は前（上）のコンポジット構造が利用可能であるかを示す。
【００２０】
利用可能なコンポジット構造２００のリスト２１０はまたコンテンツを説明することができる。このような構造の例には、スポーツビデオのハイライト、番組のみのセグメント、野球の投球、ホームラン等がある。
【００２１】
図４に示すように、リストは、リモートコントローラ４００の上下一対の矢印４０２及び４０４を用いてスクロールすることができる。コンポジット構造を選択すると、再生コントローラ１３０が、選択されたコンポジット構造に従ってビデオを表示装置１４０上にプレゼンテーションし、選択されたコンポジット構造の一部をなさないビデオの非アクティブセグメントは飛ばす。ユーザは、左右一対の矢印４０３及び４０１を用いて矢印３４０を移動させ、ビデオを現在のコンポジット構造中の任意のセグメントの始まりに位置付けすることもできる。リモートコントローラは再生ボタン４０５も含む。
【００２２】
本発明によるリモートコントローラは、５つのボタンのみを有し、より多くのボタンを有する従来技術の装置よりも大幅にユーザがプレゼンテーションを制御できようにすることに留意すべきである。
【００２３】
本発明を好ましい実施の形態の例として説明してきたが、本発明の精神及び範囲内で様々な他の適応及び変更を行うことができることが理解される。したがって、添付の特許請求の範囲の目的は、本発明の真の精神及び範囲に入る変形及び変更をすべて網羅することである。
【図面の簡単な説明】
【００２４】
【図１】本発明によるプレゼンテーションシステム及び方法のブロック図である。
【図２】本発明によるコンポジット構造のブロック図である。
【図３】本発明によるビデオプレゼンテーションのブロック図である。
【図４】本発明によるリモートコントローラの平面図である。
【図１】
2006140991.tif 000003
【図２】
2006140991.tif 000004
【図３】
2006140991.tif 000005
【図４】
2006140991.tif 000006
【外国語明細書】
2006140991.tif 000007
2006140991.tif 000008
2006140991.tif 000009
2006140991.tif 000010
2006140991.tif 000011
2006140991.tif 000012
2006140991.tif 000013
2006140991.tif 000014
2006140991.tif 000015
2006140991.tif 000016
2006140991.tif 000017